(57)【要約】【課題】ＮＯx浄化を最適に行う。【解決手段】一対のＮＯx吸蔵触媒１２，１４を機関排気通路内に直列に配置する。上流側のＮＯx吸蔵触媒１２からＮＯxを放出させて放出されたＮＯxを下流側のＮＯx吸蔵触媒１４に吸蔵させるときには排気ガスの空燃比をリーンに維持した状態で排気ガス中の酸素濃度を一時的に低下させる。これに対し、上流側ＮＯx吸蔵触媒１２および下流側ＮＯx吸蔵触媒１４からＮＯxを放出させかつ還元させるときには排気ガスの空燃比をリーンからリッチに一時的に切換える。【選択図】図１
2008232003.tif 000002
【特許請求の範囲】
【請求項１】
流入する排気ガスの空燃比がリーンのときには排気ガス中に含まれるＮＯxを吸蔵し流入する排気ガス中の酸素濃度が低下すると吸蔵したＮＯxを放出する少くとも一対のＮＯx吸蔵触媒を機関排気通路内に直列に配置し、上流側のＮＯx吸蔵触媒からＮＯxを放出させて放出されたＮＯxを下流側のＮＯx吸蔵触媒に吸蔵させるときには排気ガスの空燃比をリーンに維持した状態で排気ガス中の酸素濃度を一時的に低下させ、上流側ＮＯx吸蔵触媒および下流側ＮＯx吸蔵触媒からＮＯxを放出させかつ還元させるときには排気ガスの空燃比をリーンからリッチに一時的に切換えるようにした内燃機関の排気浄化装置。
【請求項２】
上流側ＮＯx吸蔵触媒に吸蔵されたＮＯx量が許容量を越えたときに上記一対のＮＯx吸蔵触媒の温度を代表する温度が予め定められた設定温度よりも低いときには排気ガスの空燃比をリーンに維持した状態で排気ガス中の酸素濃度を一時的に低下させることにより上流側のＮＯx吸蔵触媒からＮＯxを放出させて放出されたＮＯxを下流側のＮＯx吸蔵触媒に吸蔵させ、上流側ＮＯx吸蔵触媒に吸蔵されたＮＯx量が許容量を越えたときに上記一対のＮＯx吸蔵触媒の温度を代表する温度が予め定められた設定温度よりも高いときには排気ガスの空燃比をリーンからリッチに一時的に切換えることにより上流側ＮＯx吸蔵触媒および下流側ＮＯx吸蔵触媒からＮＯxを放出させかつ還元させるようにした請求項１に記載の内燃機関の排気浄化装置。
【請求項３】
下流側ＮＯx吸蔵触媒に吸蔵されたＮＯx量が許容量を越えたときに上記一対のＮＯx吸蔵触媒の温度を代表する温度が予め定められた設定温度よりも高いときには排気ガスの空燃比をリーンからリッチに一時的に切換えることにより上流側ＮＯx吸蔵触媒および下流側ＮＯx吸蔵触媒からＮＯxを放出させかつ還元させるようにした請求項１に記載の内燃機関の排気浄化装置。
【請求項４】
上流側ＮＯx吸蔵触媒上流の機関排気通路内に炭化水素からなる還元剤を供給するための還元剤供給弁を配置し、該還元剤供給弁から炭化水素を供給することによって排気ガス中の酸素濃度が低下せしめられる請求項１に記載の内燃機関の排気浄化装置。
【発明の詳細な説明】
【技術分野】
【０００１】
本発明は内燃機関の排気浄化装置に関する。
【背景技術】
【０００２】
流入する排気ガスの空燃比がリーンのときには排気ガス中に含まれるＮＯxを吸蔵し流入する排気ガスの空燃比が理論空燃比又はリッチになると吸蔵したＮＯxを放出するＮＯx吸蔵触媒を機関排気通路内に配置した内燃機関が公知である（例えば特許文献１を参照）。この内燃機関ではＮＯx吸蔵触媒のＮＯx吸蔵能力が飽和に近づくと排気ガスの空燃比が一時的にリッチにされ、それによってＮＯx吸蔵触媒からＮＯxが放出され還元される。
【特許文献１】特開２００４−１０８１７６号公報
【発明の開示】
【発明が解決しようとする課題】
【０００３】
このように従来ではＮＯx吸蔵触媒からＮＯxを放出すべきときには排気ガスの空燃比を理論空燃比又はリッチにして放出されたＮＯxをＮＯx吸蔵触媒内において還元するようにしている。しかしながら場合によってはＮＯx吸蔵触媒から放出されたＮＯxを還元させることなくＮＯx吸蔵触媒から排出させた方が好ましい場合もある。
本発明はＮＯx吸蔵触媒から放出されたＮＯxを必要に応じて還元させたり、還元させなかったりする内燃機関の排気浄化装置を提供することにある。
【課題を解決するための手段】
【０００４】
即ち、本発明によれば、流入する排気ガスの空燃比がリーンのときには排気ガス中に含まれるＮＯxを吸蔵し流入する排気ガス中の酸素濃度が低下すると吸蔵したＮＯxを放出する少くとも一対のＮＯx吸蔵触媒を機関排気通路内に直列に配置し、上流側のＮＯx吸蔵触媒からＮＯxを放出させて放出されたＮＯxを下流側のＮＯx吸蔵触媒に吸蔵させるときには排気ガスの空燃比をリーンに維持した状態で排気ガス中の酸素濃度を一時的に低下させ、上流側ＮＯx吸蔵触媒および下流側ＮＯx吸蔵触媒からＮＯxを放出させかつ還元させるときには排気ガスの空燃比をリーンからリッチに一時的に切換えるようにしている。
【発明の効果】
【０００５】
必要に応じ、触媒温度が比較的高くＮＯx吸蔵能力の高い上流側ＮＯx吸蔵触媒に吸蔵されているＮＯxを下流側ＮＯx吸蔵触媒に移動させることによって上流側ＮＯx吸蔵触媒のＮＯx吸蔵能力を回復することができる。
【発明を実施するための最良の形態】
【０００６】
図１に圧縮着火式内燃機関の全体図を示す。
図１を参照すると、１は機関本体、２は各気筒の燃焼室、３は各燃焼室２内に夫々燃料を噴射するための電子制御式燃料噴射弁、４は吸気マニホルド、５は排気マニホルドを夫々示す。吸気マニホルド４は吸気ダクト６を介して排気ターボチャージャ７のコンプレッサ７ａの出口に連結され、コンプレッサ７ａの入口は吸入空気量を検出する吸入空気量検出器８を介してエアクリーナ９に連結される。吸気ダクト６内にはステップモータにより駆動されるスロットル弁１０が配置され、更に吸気ダクト６周りには吸気ダクト６内を流れる吸入空気を冷却するための冷却装置１１が配置される。図１に示される実施例では機関冷却水が冷却装置１１内に導かれ、機関冷却水によって吸入空気が冷却される。
【０００７】
一方、排気マニホルド５は排気ターボチャージャ７の排気タービン７ｂの入口に連結される。排気タービン７ｂの出口は上流側ＮＯx吸蔵触媒１２の入口に連結され、上流側ＮＯx吸蔵触媒１２の出口は排気管１３を介して下流側ＮＯx吸蔵触媒１４の入口に連結される。なお、下流側ＮＯx吸蔵触媒１４の下流に更に別のＮＯx吸蔵触媒を配置することもできる。一方、排気マニホルド５には排気マニホルド５内を流れる排気ガス中に炭化水素からなる還元剤を供給するための還元剤供給弁１５が取付けられる。
【０００８】
排気マニホルド５と吸気マニホルド４とは排気ガス再循環（以下、ＥＧＲと称す）通路１６を介して互いに連結され、ＥＧＲ通路１６内には電子制御式ＥＧＲ制御弁１７が配置される。また、ＥＧＲ通路１６周りにはＥＧＲ通路１６内を流れるＥＧＲガスを冷却するための冷却装置１８が配置される。図１に示される実施例では機関冷却水が冷却装置１８内に導かれ、機関冷却水によってＥＧＲガスが冷却される。一方、各燃料噴射弁３は燃料供給管１９を介してコモンレール２０に連結される。このコモンレール２０内へは電子制御式の吐出量可変な燃料ポンプ２１から燃料が供給され、コモンレール２０内に供給された燃料は各燃料供給管１９を介して燃料噴射弁３に供給される。
【０００９】
電子制御ユニット３０はデジタルコンピュータからなり、双方向性バス３１によって互いに接続されたＲＯＭ（リードオンリメモリ）３２、ＲＡＭ（ランダムアクセスメモリ）３３、ＣＰＵ（マイクロプロセッサ）３４、入力ポート３５および出力ポート３６を具備する。排気管１３内には排気管１３内を流れる排気ガスの温度を検出するための温度センサ２２が取付けられる。排気管１３内を流れる排気ガスの温度が変化するとそれに伴なって上流側ＮＯx吸蔵触媒１２および下流側ＮＯx吸蔵触媒１４の温度も変化するので排気管１３内を流れる排気ガスの温度は直列配置された一対のＮＯx吸蔵触媒１２，１４の温度を代表していることになる。図１に示されるようにこの温度センサ２２および吸入空気量検出器８の出力信号は夫々対応するＡＤ変換器３７を介して入力ポート３５に入力される。
【００１０】
アクセルペダル４０にはアクセルペダル４０の踏込み量Ｌに比例した出力電圧を発生する負荷センサ４１が接続され、負荷センサ４１の出力電圧は対応するＡＤ変換器３７を介して入力ポート３５に入力される。更に入力ポート３５にはクランクシャフトが例えば１５°回転する毎に出力パルスを発生するクランク角センサ４２が接続される。一方、出力ポート３６は対応する駆動回路３８を介して燃料噴射弁３、スロットル弁１０の駆動用ステップモータ、還元剤供給弁１５、ＥＧＲ制御弁１７および燃料ポンプ２１に接続される。
【００１１】
まず初めに図１に示されるＮＯx吸蔵触媒１２，１４について説明すると、これらＮＯx吸蔵触媒１２，１４の基体上には例えばアルミナからなる触媒担体が担持されており、図２はこの触媒担体４５の表面部分の断面を図解的に示している。図２に示されるように触媒担体４５の表面上には貴金属触媒４６が分散して担持されており、更に触媒担体４５の表面上にはＮＯx吸収剤４７の層が形成されている。
【００１２】
本発明による実施例では貴金属触媒４６として白金Ｐｔが用いられており、ＮＯx吸収剤４７を構成する成分としては例えばカリウムＫ、ナトリウムＮａ、セシウムＣｓのようなアルカリ金属、バリウムＢａ、カルシウムＣａのようなアルカリ土類、ランタンＬａ、イットリウムＹのような希土類から選ばれた少なくとも一つが用いられている。
【００１３】
機関吸気通路、燃焼室２およびＮＯx吸蔵触媒１２上流の排気通路内に供給された空気および燃料（炭化水素）の比を排気ガスの空燃比と称すると、ＮＯx吸収剤４７は排気ガスの空燃比がリーンのときにはＮＯxを吸収し、排気ガス中の酸素濃度が低下すると吸収したＮＯxを放出するＮＯxの吸放出作用を行う。
【００１４】
即ち、ＮＯx吸収剤４７を構成する成分としてバリウムＢａを用いた場合を例にとって説明すると、排気ガスの空燃比がリーンのとき、即ち排気ガス中の酸素濃度が高いときには排気ガス中に含まれるＮＯは図２に示されるように白金Ｐｔ４６上において酸化されてＮＯ2となり、次いでＮＯx吸収剤４７内に吸収されて酸化バリウムＢａＯと結合しながら硝酸イオンＮＯ3-の形でＮＯx吸収剤４７内に拡散する。このようにしてＮＯxがＮＯx吸収剤４７内に吸収される。排気ガス中の酸素濃度が高い限り白金Ｐｔ４６の表面でＮＯ2が生成され、ＮＯx吸収剤４７のＮＯx吸収能力が飽和しない限りＮＯ2がＮＯx吸収剤４７内に吸収されて硝酸イオンＮＯ3-が生成される。
【００１５】
これに対し、還元剤供給弁１５から還元剤が供給されると排気ガスの空燃比は小さくなり、このとき還元剤を酸化するために排気ガス中に含まれている酸素が消費されるので排気ガス中の酸素濃度が低下する。排気ガス中の酸素濃度が低下すると図３（Ａ），（Ｂ）に示されるように反応が逆方向（ＮＯ3-→ＮＯ2又はＮＯ）に進み、斯くしてＮＯx吸収剤４７内の硝酸イオンＮＯ3-がＮＯ2又はＮＯの形でＮＯx吸収剤４７から放出される。即ち、流入排気ガス中の酸素濃度が低下するとＮＯx吸収剤４７からＮＯxが放出されることになる。
【００１６】
ところで排気ガスの空燃比をリーンに維持した状態で排気ガスの空燃比が小さくされ、排気ガス中の酸素濃度が低下せしめられたときには図３（Ａ）に示されるように排気ガス中には還元剤ＨＣに加えて多量の酸素Ｏ2が含まれている。このように排気ガス中に多量の酸素Ｏ2が含まれているとＮＯx吸収剤４７から放出されたＮＯ2又はＮＯはそれ以上還元されることはない。
【００１７】
一方、排気ガスの空燃比がリッチにされると排気ガス中の酸素はほとんど消費されてしまうために図３（Ｂ）に示される如く排気ガス中には酸素Ｏ2はほとんど残存しておらず、排気ガス内には還元剤ＨＣ或いはＣＯが存在している。このように酸素Ｏ2が残存していない状態で還元剤ＨＣ或いはＣＯが存在しているとＮＯx吸収剤４７から放出されたＮＯ2又はＮＯはＮ2まで還元される。従ってこのときにはＮＯx吸蔵触媒からＮＯxが排出されることはない。
【００１８】
上述したように排気ガスの空燃比がリーンであるとき、即ちリーン空燃比のもとで燃焼が行われているときには排気ガス中のＮＯxがＮＯx吸収剤４７内に吸収される。この場合、上流側ＮＯx吸蔵触媒１２は下流側ＮＯx吸蔵触媒１４に比べて温度が高いために上流側ＮＯx吸蔵触媒１２の方がＮＯxの吸蔵能力が高く、従って上流側ＮＯx吸蔵触媒１２のＮＯx吸収剤４７の方にＮＯxが吸収されやすい。しかしながらリーン空燃比のもとでの燃焼が継続して行われるとその間にＮＯx吸収剤４７のＮＯx吸収能力が飽和してしまい、斯くしてＮＯx吸収剤４７によりＮＯxを吸収できなくなってしまう。そこで本発明による実施例ではＮＯx吸収剤４７の吸収能力が飽和する前に還元剤供給弁１５から還元剤を供給することによって排気ガスの空燃比を一時的にリッチにし、それによってＮＯx吸収剤４７からＮＯxを放出させるようにしている。
【００１９】
ところがＮＯx吸蔵触媒の温度が低く、触媒４６が十分に活性化していないときに排気ガスの空燃比をリッチにすべく還元剤供給弁１５から多量の還元剤ＨＣが供給されると還元剤ＨＣが十分に還元されないためにかなりの量の還元剤ＨＣが大気中に排出されるという問題を生ずる。そこで本発明ではＮＯx吸蔵触媒１２，１４の温度が低く、触媒４６が十分に活性化していないときには酸化可能な量だけ還元剤を供給するようにしている。このときには排気ガスの空燃比がリーンに維持された状態で排気ガス中の酸素濃度が低下するので図３（Ａ）からわかるように上流側ＮＯx吸蔵触媒１２からＮＯ2又はＮＯが排出され、このＮＯ2又はＮＯが下流側ＮＯx吸蔵触媒１４に吸蔵される。
【００２０】
次にこのことについて図４を参照しつつ説明する。なお、図４においてＴＣは温度センサ２２により検出された温度、即ち一対のＮＯx吸蔵触媒１２，１４の温度を代表する温度を示している。また、ΣＮＯＸ１は上流側ＮＯx吸蔵触媒１２に吸蔵されている吸蔵ＮＯx量を示しており、ΣＮＯＸ２は下流側ＮＯx吸蔵触媒１４に吸蔵されている吸蔵ＮＯx量を示しており、Ａ／Ｆは還元剤供給弁１５からの還元剤ＨＣの供給により変化する上流側ＮＯx吸蔵触媒１２への流入排気ガスの空燃比を示している。
【００２１】
本発明による実施例では吸蔵ＮＯx量ΣＮＯＸ１およびΣＮＯＸ２は燃焼室２から単位時間当り排出されるＮＯx量ＮＯＸＡ、上流側ＮＯx吸蔵触媒１２のＮＯx吸蔵速度等に基づいて算出される。ここで、燃焼室２から単位時間当り排出されるＮＯx量ＮＯＸＡは要求トルクＴＱおよび機関回転数Ｎの関数として図５（Ａ）に示すようなマップの形で予めＲＯＭ３２内に記憶されている。この排出ＮＯx量ＮＯＸＡが上流側ＮＯx吸蔵触媒１２のＮＯx吸蔵速度、即ち上流側ＮＯx吸蔵触媒１２が単位時間当りに吸蔵しうる最大ＮＯx吸蔵量ＭＡＸよりも少なければ排出ＮＯx量ＮＯＸＡが上流側ＮＯx吸蔵触媒１２に単位時間当り吸蔵されるＮＯx量ＮＯＸ１となる。このＮＯx量ＮＯＸ１を積算することによって吸蔵ＮＯx量ΣＮＯＸ１が得られる。
【００２２】
これに対し、排出ＮＯx量ＮＯＸＡが上流側ＮＯx吸蔵触媒１２のＮＯx吸蔵速度、即ち上流側ＮＯx吸蔵触媒１２が単位時間当りに吸蔵しうる最大ＮＯx吸蔵量ＭＡＸよりも多ければこの最大ＮＯx吸蔵量ＭＡＸが上流側ＮＯx吸蔵触媒１２に単位時間当り吸蔵されるＮＯx量ＮＯＸ１となる。このとき、上流側ＮＯx吸蔵触媒１２に吸蔵されなかった余剰のＮＯx量（ＮＯＸＡ−ＭＡＸ）が下流側ＮＯx吸蔵触媒１４に単位時間当り吸蔵されるＮＯx量ＮＯＸ２となる。このＮＯx量ＮＯＸ２を積算することによって吸蔵ＮＯx量ΣＮＯＸ２が得られる。
【００２３】
なお、上流側ＮＯx吸蔵触媒１２が単位時間当りに吸蔵しうる最大ＮＯx吸蔵量ＭＡＸは上流側ＮＯx吸蔵触媒１２の床温、吸蔵ＮＯx量ΣＮＯＸ１および排気ガス量、即ち吸入空気量等の関数であり、最大ＮＯx吸蔵量ＭＡＸはこれらの関数として予めＲＯＭ３２内に記憶されている。なお、一例として図５（Ｂ）に最大ＮＯx吸蔵量ＭＡＸと上流側ＮＯx吸蔵触媒１２の床温Ｔとの関係を示す。
【００２４】
図４に示されるように時刻ｔ1までは空燃比Ａ／Ｆがリーンの状態が継続し、この間に各ＮＯx吸蔵量ΣＮＯＸ１，ΣＮＯＸ２は徐々に増大する。次いで時刻ｔ1において上流側ＮＯx吸蔵触媒１２のＮＯx吸蔵量ΣＮＯＸ１が許容値Ｘ１に達したとする。このときＮＯx吸蔵触媒１２，１４を代表する代表温度ＴＣが予め定められた設定温度ＴＸよりも低いとすると図４に示されるように排気ガスの空燃比Ａ／Ｆはリーンのもとで低下せしめられる。このとき上流側ＮＯx吸蔵触媒１２からＮＯxが放出され、この放出されたＮＯxは下流側ＮＯx吸蔵触媒１４に吸蔵される。従ってこのとき上流側ＮＯx吸蔵触媒１２のＮＯx吸蔵量ΣＮＯＸ１は低下し、下流側ＮＯx吸蔵触媒１４のＮＯx吸蔵量ΣＮＯＸ２は増大する。
【００２５】
次いで時刻ｔ2において下流側ＮＯx吸蔵触媒１４のＮＯx吸蔵量ΣＮＯＸ２が許容値Ｘ２に達したとする。このときＮＯx吸蔵触媒１２，１４の代表温度ＴＣが予め定められた設定温度ＴＸよりも高いとすると図４に示されるように排気ガスの空燃比Ａ／Ｆはリーンからリッチに切換えられる。このときには上流側ＮＯx吸蔵触媒１２および下流側ＮＯx吸蔵触媒１４からＮＯxが放出され、放出されたＮＯxが還元される。従ってこのとき上流側ＮＯx吸蔵触媒１２のＮＯx吸蔵量ΣＮＯＸ１および下流側ＮＯx吸蔵触媒１４のＮＯx吸蔵量ΣＮＯＸ２は共に減少する。
【００２６】
次いで時刻ｔ3において上流側ＮＯx吸蔵触媒１２のＮＯx吸蔵量ΣＮＯＸ１が許容値Ｘ１に達したとする。このときＮＯx吸蔵触媒１２，１４の代表温度ＴＣが予め定められた設定温度ＴＸよりも高いとすると図４に示されるように排気ガスの空燃比Ａ／Ｆはリーンからリッチに切換えられる。このときには上流側ＮＯx吸蔵触媒１２および下流側ＮＯx吸蔵触媒１４からＮＯxが放出され、放出されたＮＯxが還元される。従ってこのとき上流側ＮＯx吸蔵触媒１２のＮＯx吸蔵量ΣＮＯＸ１および下流側ＮＯx吸蔵触媒１４のＮＯx吸蔵量ΣＮＯＸ２は共に減少する。
【００２７】
次いで時刻ｔ4において上流側ＮＯx吸蔵触媒１２のＮＯx吸蔵量ΣＮＯＸ１が再び許容値Ｘ１に達したとする。このときＮＯx吸蔵触媒１２，１４の代表温度ＴＣが予め定められた設定温度ＴＸよりも低いとすると図４に示されるように排気ガスの空燃比Ａ／Ｆはリーンのもとで低下せしめられる。このとき上流側ＮＯx吸蔵触媒１２からＮＯxが放出され、この放出されたＮＯxは下流側ＮＯx吸蔵触媒１４に吸蔵される。従ってこのとき上流側ＮＯx吸蔵触媒１２のＮＯx吸蔵量ΣＮＯＸ１は低下し、下流側ＮＯx吸蔵触媒１４のＮＯx吸蔵量ΣＮＯＸ２は増大する。
【００２８】
図６はＮＯxの浄化処理ルーチンを示している。このルーチンは一定時間毎の割込みによって実行される。
図６を参照するとまず初めにステップ５０において図５（Ａ）に示すマップから単位時間当り排出される排出ＮＯx量ＮＯＸＡが算出される。次いでステップ５１ではこの排出ＮＯx量ＮＯＸＡが最大ＮＯx吸蔵量ＭＡＸよりも小さいか否かが判別される。ＮＯＸＡ≦ＭＡＸのときにはステップ５２に進んで上流側ＮＯx吸蔵触媒１２に単位時間当り吸蔵されるＮＯx量ＮＯＸ１が排出ＮＯx量ＮＯＸＡとされる。次いでステップ５５に進む。
【００２９】
これに対し、ステップ５１においてＮＯＸＡ＞ＭＡＸであると判別されたときにはステップ５３に進んで上流側ＮＯx吸蔵触媒１２に単位時間当り吸蔵されるＮＯx量ＮＯＸ１が最大ＮＯx吸蔵量ＭＡＸとされる。次いでステップ５４に進んで下流側ＮＯx吸蔵触媒１４に単位時間当り吸蔵されるＮＯx量ＮＯＸ２が排出ＮＯx量ＮＯＸＡから最大ＮＯx吸蔵量ＭＡＸを減算した値（ＮＯＸＡ−ＭＡＸ）とされる。次いでステップ５５に進む。ステップ５５ではＮＯＸ１が上流側ＮＯx吸蔵触媒１２に吸蔵されているＮＯx量ΣＮＯＸ１に加算され、次いでステップ５６ではＮＯＸ２が下流側ＮＯx吸蔵触媒１４に吸蔵されているＮＯx量ΣＮＯＸ２に加算される。
【００３０】
次いでステップ５７では上流側ＮＯx吸蔵触媒１２の吸蔵ＮＯx量ΣＮＯＸ１が許容値Ｘ１を越えたか否かが判別され、ΣＮＯＸ１＞Ｘ１となったときにはステップ５８に進んでＮＯx吸蔵触媒１２，１４の代表温度ＴＣが予め定められた設定温度ＴＸよりも高いか否かが判別される。ＴＣ≦ＴＸのときにはステップ５９に進んで排気ガスの空燃比がリーンのもとで低下せしめられるリーンスパイク発生処理が行われる。次いでステップ６０ではΣＮＯＸ２にΣＮＯＸ１・α（０＜α≦１）が加算され、次いでステップ６１ではΣＮＯＸ１がΣＮＯＸ１・（１−α）とされる。これに対し、ステップ５８においてＴＣ＞ＴＸであると判別されたときにはステップ６４に進んで排気ガスの空燃比がリーンからリッチに一時的に切換えられるリッチスパイク発生処理が行われる。次いでステップ６５ではΣＮＯＸ１，ΣＮＯＸ２がクリアされる。
【００３１】
一方、ステップ５７においてΣＮＯＸ１≦Ｘ１であると判別されたときにはステップ６２に進んで下流側ＮＯx吸蔵触媒１４の吸蔵ＮＯx量ΣＮＯＸ２が許容値Ｘ２を越えたか否かが判別され、ΣＮＯＸ２＞Ｘ２となったときにはステップ６３に進んでＮＯx吸蔵触媒１２，１４の代表温度ＴＣが予め定められた設置温度ＴＸよりも高いか否かが判別される。ＴＣ≦ＴＸのときには処理サイクルを完了する。これに対し、ＴＣ＞ＴＸのときにはステップ６４に進んで排気ガスの空燃比がリーンからリッチに一時的に切換えられるリッチスパイク発生処理が行われる。
【図面の簡単な説明】
【００３２】
【図１】圧縮着火式内燃機関の全体図である。
【図２】ＮＯx吸蔵触媒の触媒担体の表面部分の断面図である。
【図３】ＮＯx吸蔵触媒の触媒担体の表面部分の断面図である。
【図４】ＮＯx放出処理を示すタイムチャートである。
【図５】吸蔵ＮＯx量ＮＯＸＡのマップ等を示す図である。
【図６】ＮＯxの浄化処理を実行するためのフローチャートである。
【符号の説明】
【００３３】
４    吸気マニホルド
５    排気マニホルド
７    排気ターボチャージャ
１２    上流側ＮＯx吸蔵触媒
１４    下流側ＮＯx吸蔵触媒
１５    還元剤供給弁
【図１】
2008232003.tif 000003
【図２】
2008232003.tif 000004
【図３】
2008232003.tif 000005
【図４】
2008232003.tif 000006
【図５】
2008232003.tif 000007
【図６】
2008232003.tif 000008